(57)【要約】【課題】特別の簡単な構造により、従来の問題を解決し、きわめて細長の小魚を傷つけることなく、迅速且つ確実に分別、選別し、その作業の効率を向上させる小魚分別装置を提供することである。【解決手段】捕獲した小魚と水が一緒の噴流を受け入れる入り口を有し、その噴流を半円筒形の内側面に沿って流れ込むように配置した半円筒形部材を上部に設け、その下に分別すべき小魚が通過しない大きさに合わせたパンチ孔を一面に設けた板部材を、噴流の流れの方向に下向き斜めに設けて、半円筒形部材の内側面に沿って大きな円を描いて上から流れて込んで行く該噴流をパンチ孔板部材の斜面に受け入れる配置にして、分別すべき小魚は、遠心力により該噴流の外側に沿って流れ行くために、直接パンチ孔板部材の斜面に直接衝突せずに、該噴流に乗って、水などから、容易に分別される構造を有することを特徴とする小魚分別装置。【選択図】  図１
2009050242.tif 000002
【特許請求の範囲】
【請求項１】
捕獲した小魚と水が一緒の噴流を受け入れる入口を有し、その噴流を半円筒形の内側面に沿って流れ込むように配置した半円筒形部材を上部に設け、その下に分別すべき小魚が通過しない大きさに合わせたパンチ孔を一面に設けた板部材を、噴流の流れの方向に下向き斜めに設けて、半円筒形部材の円弧内側面に沿って大きな円弧を描いて上から流れて込んで行く該噴流をパンチ孔板部材の斜面に受け入れる配置にして、分別すべき小魚は、遠心力により該噴流の外側に沿って流れ行くために、直接パンチ孔板部材の斜面に直接衝突せずに、該噴流に乗って、水などから、容易に分別される構造を有することを特徴とする小魚分別装置。
【請求項２】
捕獲した小魚と水を包含する噴流を受け入れる入り口は、本装置の端部に上向きに設けられ、該噴流は、上向きに流れこみ、該半円筒形部材の円弧内側面に沿って流れ、そしてパンチ孔を設けた板部材の斜面に、上方から流れ込み、分別すべき小魚は、遠心力がより働くために、噴流の外側流れに多く存在することを特徴とする請求項１に記載の小魚分別装置。
【請求項３】
斜めに配置されたパンチ孔板部材の下には、パンチ孔をすばやく通過した水及び小さなゴミを受け入れる収納函体を配置し、その函体の底部には、それらのための排出口を設けることを特徴とする請求項１あるいは２に記載の小魚分別装置。
【請求項４】
斜めに配置されたパンチ孔板部材を底部として、その両側に側面壁を立てて形成して、函体をなしており、その函体の中を該噴流が流れる構造を有することを特徴とする請求項１〜３のいずれかに記載の小魚分別装置。
【請求項５】
斜めに配置されたパンチ孔板部材と両側面壁がなす函体の下流に、分別された小魚を受け入れる函部材を取り付ける構造を有することを特徴とする請求項１〜４のいずれかに記載の小魚分別装置。
【請求項６】
分別された小魚を受け入れる函部材が、函体の下流端部に固定され、一体構造であることを特徴とする請求項１〜４のいずれかに記載の小魚分別装置。
【発明の詳細な説明】
【技術分野】
【０００１】
本発明は、魚網などの中に捕獲した新鮮な小魚を、移送ポンプなどによる噴流の移送流の中から、小魚を分別する小魚分別装置に関する。チリメンジャコなどの原料となるシラウオやセグロイワシの稚魚などのような、きわめて小型の細長の小魚は、一般的に、フィッシュポンプなどの移送ポンプで噴流の中に含まれた形で移送されるが、その移送噴流自体の中から、直接分別される小魚分別装置に関する。
【背景技術】
【０００２】
従来、小魚を分別するには、特別な構造の板構造の斜面の上に、小魚を含有する移送噴流を、撒けるように流し込み、その斜面上に残った小魚を所定位置のシュートで収納する分別する分別装置を用いるものであった（例えば、特許文献１）。それでは、特別の構造の板を用いるために、複雑な構造であり、高コストになり、且つ、小魚などが、特別構造の板に詰まり易く、実際操作も困難であり、実用性が低いものであった。
【０００３】
また、小魚などを、斜めの搬送コンベアの下端方向から上方に搬送しながら、または、下方に搬送しながら、下から送風ノズルを当て、搬送コンベアと交差して設けた搬出コンベアを設け、排出コンベアの上には送風ノズルと開口した捕集箱を設け、干しながら分別するものがある（特許文献３）。いずれも、構造が複雑になり、実用に適さない。
また、小魚分別のために、水平又は傾斜した筒状の分別筒を回動自在に設け、その中に内径一杯のスクリュー羽根を入れ、外側の分別筒に設けた特殊構造の小孔から外側に排出した小魚を分別するものがある（特許文献２）。
いずれも、構造が複雑であり、実用的でない。
【０００４】
小魚包含噴流を、パンチング板の上にながして、分別する方式もあるが、小魚がパンチング板の穴や板表面に衝突するので、小魚は、傷つき、痛むものであり、ある場合には、魚が切断されてしまい、分別した小魚には、切断片や、傷ついた小魚が混じりこんでしまっていた。また、小魚の切断片で、パンチング板の孔が目詰まりして、分別効率が悪くなっていた。
以上の通り、従来の小魚分別装置では、構造が複雑であり、分別操作も複雑になってしまい、小魚が傷つき易く、効率も上がらず、いずれも、実用性が低いものであった。
【特許文献１】実用新案登録第３０１３２２９号公報
【特許文献２】特許第２９３２０４７号公報
【特許文献３】特開平７−９７８８０号公報
【発明の開示】
【発明が解決しようとする課題】
【０００５】
本発明の基本的な課題は、小魚を傷つけることなく、水(海水）などから分別する装置を提供することである。
【０００６】
本発明の第２の課題は、簡単な構造で、且つ低コストで、そのような小魚分別装置を提供することである。
【０００７】
更に、第３の課題は、従来の小魚分別装置のような複雑な構造と機能の分別スクリーン孔を使用することなく、効率的な分別ができる小魚分別装置を提供することである。
【０００８】
本発明の第４の課題は、船上でも浜でも、どこでも使用でき、実用的な小魚分別装置を提供することである。
【課題を解決するための手段】
【０００９】
上記のような課題を解決するために、鋭意研究の結果、簡単な構造で、効率よく、捕獲移送された小魚噴流から、直接に分別することができる小魚分別装置を発明した。それは、捕獲移送された小魚噴流をうまく制御し、その噴流の特徴を利用することから分かった。以下の各項の構成である。
【００１０】
（１）捕獲した小魚と水が一緒の噴流を受け入れる入り口を有し、その噴流を半円筒形の内側面に沿って流れ込むように配置した半円筒形部材を上部に設け、その下に分別すべき小魚が通過しない大きさに合わせたパンチ孔を一面に設けた板部材を、噴流の流れの方向に下向き斜めに設けて、半円筒形部材の内側面に沿って大きな円を描いて上から流れて込んで行く該噴流をパンチ孔板部材の斜面に受け入れる配置にして、分別すべき小魚は、遠心力により該噴流の外側に沿って流れ行くために、直接パンチ孔板部材の斜面に直接衝突せずに、該噴流の上側に流れて、水などから、容易に分別される構造を有することを特徴とする小魚分別装置である。
【００１１】
（２）捕獲した小魚と水を包含する噴流を受け入れる入り口は、本装置の端部に上向きに設けられ、該噴流は、上向きに流れこみ、該半円投形部材の内側面に沿って、且つパンチ孔を設けた板部材の斜面に、上方から流れ込み、分別すべき小魚は、遠心力がより働くために、噴流の外側流れに多く存在することを利用した小魚分別装置。
【００１２】
（３）その斜めに配置されたパンチ孔板部材の下には、パンチ孔をすばやく通過した水及び小さなゴミを受け入れる函体を配置し、その函体の底部には、それらの排出口を設ける。
【００１３】
（４）斜めに配置されたパンチ孔板部材を底部として、その両側に側面壁を立てて形成して、函体をなしており、その函体の中を該噴流が流れる構造を有する。
【００１４】
（５）斜めに配置されたパンチ孔板部材と両側面壁がなす函体の下流に、分別された小魚を受け入れる函部材を取り付ける構造を有する。
（６）分別された小魚を受け入れる函部材が、函体の下流端部に固定され、一体構造である。
【発明の効果】
【００１５】
本発明の小魚分別装置は、従来技術と比較して種々の長所を有する。例えば、小魚を傷つけることなく、水(海水)などから効率よく分別することができ、また、従来の装置と比較して、驚くほど簡単な構造で、且つ低コストで、提供することができ、従来の小魚分別装置のような複雑な構造と機能の分別スクリーン孔を使用することなく、効率的な分別ができる。そして、本発明により、船上でも浜でも、どこでも使用でき、実用的な小魚分別装置を提供することができる。                      
【実施例】
【００１６】
本発明の小魚分別装置の基本的な構造は、図１の断面図に示されるように、
その全体の箱構造の上側端部に、捕獲した小魚と水を包含する噴流１を受け入れる入り口２を有する。具体的には、この噴流１は、本発明の小魚分別装置を説明する斜視図（図２）に示すように、フィッシュポンプなどの移送ポンプからの移送パイプ１の中を流れるものである。即ち、移送パイプ１が本発明の小魚分別装置の入り口２に上向き結合されている。
【００１７】
噴流は、本発明の装置の中に入り、装置を上から見た平面図（図３）から分かるように、徐々に横に平に広げられた形状のパイプ３となり、半円筒形部材６に中に入り、ほぼ層状噴流となる。その噴流は、上方に向けられた勢いに従って、円筒形部材６の内側表面に沿って流れて、即ち、円弧を描いて流れ、すると、その中にある小魚４は、遠心力に影響を受け、図１に示すように噴流の外側、即ち、上側を流れる。すると、小魚４は、パンチ孔のある底面の板部材５を底板として、両側に側面板を立てた函体７に落とされて流れる。この場合小魚４は噴流の上側を流れるために、底板即ち、分別するためにパンチ孔のある板部材５の上に撒かれても、底板５に直接に衝突することない。即ち、図示のように、小魚４は、ほとんど噴流１の上側流れに乗って流れて行くために、従来技術で克服することができなかった板部材やパンチ孔に当たって傷つくことがない。
【００１８】
即ち、図示のように、その噴流１は、半円筒形部材６の内側面に沿って流れ、即ち、半円筒形部材の内側面に沿って大きな円を描いて、函体７の上から流れ込んで行く。すると、小魚４には特に遠心力が働き、図示のように流れの上側を流れる。即ち、分別すべき小魚４は、遠心力により該噴流の外側に沿って流れ行く、即ち、噴流の上側を流れるために、直接パンチ孔板部材の斜面５に直接衝突せずに、該噴流に乗って行く。そのために、水など８が底面のパンチ孔５１から抜けていき、小魚４は、容易に傷つくことなく、分別される。
【００１９】
即ち、半円の周辺縁の内側面に沿って流れ込むように配置した半円筒形部材６は、装置の上部に設けられたことが重要である。その下に分別すべき小魚が通過しない大きさに合わせたパンチ孔を設けた板部材５が設けられ、その板部材５と両側側面部材からなる函体の中に、噴流１は、大きな円弧を描いて上から流れて込んで行き、勢いよく、流れて行くが、小魚４は、噴流の上側に存在するために、傷つくことはない。
【００２０】
即ち、分別すべき小魚４は、遠心力が働くために、半円筒形部材６の中で、噴流の外側に沿って流れ行き、パンチ孔板部材５の上では、噴流の上側を流れる。そのために、直接パンチ孔板部材の斜面５やパンチ孔５１に衝突しない。
【００２１】
そして、パンチ孔５１は、分別すべき小魚４が通過しない大きさに合わせる。これは、分別すべき小魚の大きさと、パンチ孔５１の大きさは、経験則的に決めることができる。本発明の小魚分別装置で重要なことは、孔の大きさ、形状に細かい規則とか形状の特定をする必要がないことである。特許文献１では、この点について、ひどく、考察し、特別な構造にしなければならなかった。
【００２２】
また、噴流１を上向きに受け入れる構造も重要であり、それにより、装置の構造が簡単にすることができた。即ち、入り口２は、本装置の端部に上向きに設けられる（図１参照）。即ち、噴流１は、上向きに流れこみ、該半円投形部材６の内側面に沿って、且つパンチ孔を設けた板部材などからなる函体７の斜面５に、上方から勢いよく、流れ込み、分別の効率が損なわれることない。即ち、小魚４は、遠心力がより働くために、図１に示すように、自然に、自動的に、流れに上面に流れ込み、噴流１の上側流れに多く存在する。
【００２３】
即ち、斜めに配置されたパンチ孔板部材５の下に、パンチ孔５１をすばやく通過した水及び小さなゴミ８は、流れていく。それを受け入れる函体９が配置される。その函体９の底部には、それらのための排出口１０が設けられる。即ち、不要の水(海水)８は、すばやく、排出することができる。本発明の小魚分別装置では、実際の使用操作においては、理由は分からないが、小魚４に付いている藻やごみなども、分別排出されているようである。
【００２４】
更に、本発明の小魚分別装置は、斜めに配置されたパンチ孔板部材を底部として、その両側に側面壁を立てて形成して、函体をなしており、その函体の中を該噴流が流れるという簡単な構造であるにもかかわらず、小魚を傷つけることなく、効率よい分別が可能になった。
【００２５】
更に、本発明の装置では、函体７の先、その下流に、分別された小魚４を受け入れ、図示のように、収容する函部材１１を取り付けることができる。
小魚を収納した函体１１から、小魚をくみ出し、市場に出すことができる。即ち、小魚分別装置と一体化して、小魚収納函部材を利用する。即ち、そのパンチ孔板部材５とその噴流１を収納している側面部材７が箱体であるが、その下流端部に、小魚４収納函部材１１が一体化固定されえる。
【００２６】
あるいは、小魚収納函体は、小魚分別装置に結合される形態でもよい。即ち、出荷用の函を、本発明の装置の分別箱体の下流に直接つけて、効率的な出荷体制を確立することができる。
【００２７】
図２は、本発明の小魚分別装置の全体を示す斜視図である。１は、移送ポンプから小魚と水が一緒の噴流が送られるパイプであり、本発明の小魚分別装置の上部の端部に下から受け向きに結合されている。３は、パイプの中の円筒形流れを、広げていき、より平たくし、ほとんど層状流にする部分である。その次に、噴流を、円筒形部材６により、円筒形内側表面に沿って流し、円弧状の流れにする。その流れは、パンチ孔底面の板部材７と両側板部材による、傾斜されて函体７の中に、上から流れ込む。そして、その傾斜函体を流れながら、小魚４と水などは、分別される。小魚４は、函体７の下方端部から排出されると同時に、水などは、底の排出口１０から排出され、捨てられる。
【００２８】
更に、図３は、本発明の小魚分別装置を運転中を真上からみた平面図である。小魚４と水８が一緒の噴流は、３の下から、導入され、半円筒形部材６の中で、円弧状流れとして、勢いよく、分別のための函体７に上から撒けられる。分別のためのパンチ孔を有する底面部材５により、水など８は、底面から外に胚珠される。小魚４は、函体７の下方端部から、小魚収納函１１に受け入れられる。
【図面の簡単な説明】
【００２９】
【図１】本発明の小魚分別装置の構造と原理を示す断面図である。
【図２】本発明の小魚分別装置の１具体例を示す斜視図である。
【図３】本発明の小魚分別装置を上から見た平面図であり、実際の小魚分別がされている状態を示す。
【符号の説明】
【００３０】
１        移送ポンプからのパイプ（噴流）
２        噴流の入り口
３        噴流の層状流化部分
４        捕獲された小魚
５        パンチ孔のある板部材（底面）
６        変円筒形部材
７        噴流を流す函体
８        水などの受け入れ函体
９        水、小さいゴミなど
１０      排出口
１１      分別された小魚収納箱
５１      パンチ孔
【図１】
2009050242.tif 000003
【図２】
2009050242.tif 000004
【図３】
2009050242.tif 000005